(57)【要約】      （修正有）【課題】木の成分の本来持つリラクゼーション効果と、端面を特定の形状に造形することによる指圧、刺激効果を同時に発揮させ、それらの組み合わせによる相乗効果を十分にもたらすことのできる、健康促進効果に優れた、多機能型の健康枕を提供する。【解決手段】左右に延びる長尺状の木製の枕本体２からなり、枕本体２の中央部３上面に左右の側部４上面よりも一段下がった頭部載置面５を形成し、枕本体２の前後端面のいずれか一方の端面７を波形に形成するとともに、他方の端面８に床面に対する支持面を形成し、枕本体２の、前記波形に形成した端面７を上向きにした姿勢で、その端面７に頭部から首部に亘る範囲の任意箇所を支持可能とする。【選択図】図１
0003143167.tif 000002
【実用新案登録請求の範囲】
【請求項１】
左右に延びる長尺状の木製の枕本体からなり、
枕本体の中央部上面に左右の側部上面よりも一段下がった頭部載置面が形成され、
枕本体の前後端面のいずれか一方の端面が波形に形成されるとともに、他方の端面に床面に対する支持面が形成され、
枕本体の、前記波形に形成された端面を上向きにした姿勢で、その端面に頭部から首部に亘る範囲の任意箇所を支持可能としたことを特徴とする、健康枕。
【請求項２】
前記波形に形成された端面は、大きさの異なる複数の谷部および山部が形成されていることを特徴とする、請求項１記載の健康枕。
【請求項３】
枕本体の中央部裏面に、中間部を残して、前端面側および後端面側にそれぞれ開口する切欠き部が形成され、これにより前記中間部に左右に延びる足踏み部が形成されていることを特徴とする、請求項１又は請求項２記載の健康枕。
【請求項４】
頭部載置面の両側に頭部載置面上の頭部を左右から支持する支持斜面が形成されていることを特徴とする、請求項１ないし請求項３のいずれか一項に記載の健康枕。
【請求項５】
枕本体が霧島檜から構成されていることを特徴とする、請求項１ないし請求項４のいずれか一項に記載の健康枕。
【考案の詳細な説明】
【技術分野】
【０００１】
本考案は、木の成分の本来持つリラックス効果と、特定の形状に造形したことによる頭部から首部に亘る指圧、刺激効果を同時に発揮させ、その相乗効果を十分にもたらすことのできる、健康促進効果に優れた、健康枕に関するものである。
【背景技術】
【０００２】
多くの人は一日のおおよそ３分の１を自分の睡眠時間にあてており、快適に睡眠するには自分に合う枕を選択することが重要である。しかしながら、自分に合う枕を選択するには、サイズ、硬さ、形状など多くの要素があり、どの枕が自分にとって最適であるかを理解して購入する人はむしろ少ない。その一方で、ホテル備え付けの枕など、自分が通常使っていない枕を使用すると、肩こりがひどくなったり、眠りが浅くなってしまうことはよくあることである。
【０００３】
かかる枕については、木製からなる健康志向型の枕が、従来より種々提案されている（特許文献１、特許文献２を参照）。
【０００４】
【特許文献１】特開２００３−３１９８５９号公報
【特許文献２】特開２００５−１８５６９０号公報
【考案の開示】
【考案が解決しようとする課題】
【０００５】
しかし、特許文献１の健康枕は、丸太材を単純に半割りして枕に用いたものであり、また、特許文献２の健康硬枕は、多数の部材の組み合わせからなるもので、製作コストが高くつくなどの欠点がある。
【０００６】
本考案は、前記課題に鑑みてなされたもので、木の成分の本来持つリラクゼーション効果と、特定の形状に造形したことによる頭部から首部に亘る指圧、刺激効果とを同時に発揮させ、その相乗効果を十分にもたらすことのできる、健康促進効果に優れた、多機能型の健康枕を、しかも、低コストで提供することを目的とする。
【０００７】
また、本考案は、上記に加えて、枕本体の裏面を利用して足裏を適度に指圧、刺激して、健康促進効果に優れた、健康枕を提供することを目的とする。
【課題を解決するための手段】
【０００８】
前記課題を達成するために、本考案に係る請求項１の健康枕は、
左右に延びる長尺状の木製の枕本体からなり、
枕本体の中央部上面に左右の側部上面よりも一段下がった頭部載置面を形成し、
枕本体の前後端面のいずれか一方の端面を波形に形成するとともに、他方の端面に床面に対する支持面を形成し、
枕本体の、前記波形に形成した端面を上向きにした姿勢で、その端面に頭部から首部に亘る範囲の任意箇所を支持可能としたことを特徴とする。
【０００９】
本考案の請求項１記載の健康枕によると、通常使用時には、頭部載置面を上にして床面上に枕本体を設置し、頭部載置面上に頭を載せて横たわる姿勢をとり、リラックスした姿勢で休息又は睡眠をとることができる。木の成分の本来持つリラックス効果を十分享受することができる。
【００１０】
また、頭部から肩にかけてこりがある時は、波形に造形された端面を上にして、その反対の端面の支持面を床面上に支持させた姿勢で、波形に造形された端面の上に頭部から首部に亘る範囲のこりのある箇所をあてて支持させ、こりのある部分を圧迫し、適度に指圧、刺激を与え、血行を促進させ、こりをほぐすことができる。この場合も、木の成分の本来持つリラックス効果と、適度な指圧、刺激効果を同時に発揮させ、その相乗効果を身体に十分もたらすことができる。それらの相乗効果は身体の自律神経に作用し、身体のストレスを十分に和らげるべく作用する。
【００１１】
本考案の請求項２に係る健康枕は、前記波形に形成された端面に、大きさの異なる複数の谷部および山部が形成されていることを特徴とする。
【００１２】
本考案の請求項２記載の健康枕によると、前記波形の端面に形成された大きさの異なる複数の谷部および山部のいずれかの最適な部位に、頭部から首部に亘る範囲のこりのある箇所をあてて支持させ、こりのある部分を効果的に圧迫し、適度に指圧、刺激を与え、血行を促進させ、こりを効果的にほぐすことができる。
【００１３】
本考案の請求項３に係る健康枕は、枕本体の中央部裏面に、中間部を残して、前端面側および後端面側にそれぞれ開口する切欠き部を形成し、これにより前記中間部に左右に延びる足踏み部を形成したことを特徴とする。
【００１４】
本考案の請求項３記載の健康枕によると、枕本体の裏面を上にして、枕本体を床面上に設置し、上の足踏み部を足踏み運動して、足裏のツボを適度に指圧、刺激し、血行を促進させることができる。
【００１５】
本考案の請求項４に係る健康枕は、頭部載置面の両側に頭部載置面上の頭部を左右から支持する支持斜面を形成したことを特徴とする。
【００１６】
本考案の請求項４記載の健康枕によると、頭部載置面の左右に頭部を左右から支持する支持斜面を形成したので、寝返り時に頭部が左右の端から床面上に落下するのを防ぐことができる。
【００１７】
本考案の請求項５に係る健康枕は、枕本体を霧島檜から構成したことを特徴とする。
【００１８】
本考案の請求項５記載の健康枕によると、霧島檜の樹脂成分に含まれる爽やかな芳香成分が、リラクゼーション効果、精神安定効果、アロマテラピー効果を発揮し、癒しの効果を身体に与え、リラックスした状態で休息、睡眠することができる。また、樹脂成分に含まれるヒノキチオールは、高い抗菌防虫作用を発揮し、防ダニ効果があり、ダニアレルギー症状者に対しても安心して用いることが可能である。
【考案の効果】
【００１９】
本考案の健康枕によると、左右に延びる長尺状の木製の枕本体からなり、枕本体の中央部上面に左右の側部上面よりも一段下がった頭部載置面を形成し、枕本体の前後端面のいずれか一方の端面を波形に形成し、他方の端面に床面に対する支持面を形成し、枕本体の、前記波形に形成した端面を上向きにした姿勢で、その端面に頭部から首部に亘る範囲の任意箇所を支持可能としたから、通常の使用時においては、枕本体の中央部上面の、左右の側部上面よりも一段下がった頭部載置面に頭部を載置して、木の成分の本来持つリラクゼーション効果を享受しながら休息または睡眠することができ、また、頭部から肩部に亘る範囲にこりがある時は、波形に造形された端面を上向きにした姿勢で、その端面にこりのある箇所をあてて頭部の重みで支持させ、こりの部分を適度に指圧、刺激することができ、木の成分の持つリラクゼーション効果と、こり部分に対する指圧・刺激効果とを同時に発揮させることができ、それらの組み合わせによる相乗効果により、現代人に多いストレスを和らげ、健康増進を大いに図ることができるという優れた効果を奏する。
【００２０】
また、枕本体の中央部裏面に、中間部を残して、前端面側および後端面側にそれぞれ開口する切欠き部を形成し、これにより前記中間部に左右に延びる足踏み部を形成したから、枕本体の裏面を利用して、同裏面を上にして、上から足踏み部を足踏みし、足裏を適度に指圧、刺激して、健康促進を図ることができる。これにより、枕本体の裏面を利用して足裏への指圧効果をも付与できるという効果を奏する。
【００２１】
さらに、一本の枕本体を切削加工して、かかる多機能の健康枕を実現でき、製作コストが大変安く済むという効果を奏する。
【考案を実施するための最良の形態】
【００２２】
以下、図面を参照して、本考案に係る健康枕について、一実施形態を説明する。図１は本考案に係る健康枕の全体斜視図を示している。同図において、符号１は健康枕である。
【００２３】
図１に示すように、本考案の健康枕１は、左右に延びる（図示例の場合、長さ約３５ｃｍ）長尺状の木製の枕本体２からなり、枕本体２の中央部３の上面には、図１および図２に示すように、左右の側部４，４の上面よりも一段下がった（図示例の場合、床面Ｇから高さ約２ｃｍ）平坦状の頭部載置面５が形成されている。頭部載置面５は、図５に示すように、床面Ｇ上に横たわる姿勢で、頭部Ｈを載置する場所であり、頭部載置面５の両側には頭部Ｈを左右から支持する支持斜面６，６が形成されている。
【００２４】
図１および図３に示すように、枕本体２の前端面７は波形形状に造形されると共に、その反対側の後端面８には床面Ｇに対する支持面８ａが形成されている。前端面７には、左の側部４側から右の側部４側にかけて、大きさ（深さおよび高さ）の異なる第１谷部７ａ，山部７ｂ，第２谷部７ｃのそれぞれが滑らかな湾曲線でもって、形成されている。図３および図４に示すように、この波形に形成された前端面７を上向きにし、反対の後端面８の支持面８ａを床面Ｇに支持させた安定姿勢で、前端面７に対し頭部から首部に亘る範囲の任意箇所を支持可能とされている。
【００２５】
図示例の健康枕１は、前端面７を上向きにし、後端面８の支持面８ａを床面Ｇに支持させた姿勢で、床面Ｇから第１谷部７ａまでの高さが約７ｃｍ、山部７ｂまでの高さが約７．５〜８ｃｍ、床面Ｇから一番低い第２谷部７ｃまでの高さが約６ｃｍに設定されている。
【００２６】
枕本体２の中央部３の裏面には、図３および図４に示すように、中間部９を残して、前端面７側および後端面８側にそれぞれ開口する切欠き部１０，１０が形成されている。これにより前記中間部９に、左右に延びる足踏み部１１が形成されている。足踏み部１１の断面は、図７に示すように、上面側の両角部が丸められている。また、足踏み部１２の両端は左右の側部４，４の裏面に接続されている。図示例の場合、足踏み部１２の幅×深さ×長さは約２ｃｍ×約２ｃｍ×約２８ｃｍとされており、これに合わせて、前端面７の幅は約１ｃｍの細幅とされている。
【００２７】
枕本体２は、霧島檜から構成されており、霧島檜の樹脂成分に含まれる芳香成分（フィトンチッド，ヒノキチオール）がリラクゼーション効果、精神安定効果、アロマテラピー効果、ひいては癒しの効果をもたらす。また、ヒノキチオールは、高い抗菌防虫作用を発揮し、防ダニ効果があり、ダニアレルギー症状者に対しても安心して用いることが可能である。
【００２８】
次に、上記構成の健康枕１について、その使用方法について説明する。
【００２９】
図５は、第１の使用形態を示すもので、通常の使用時では、頭部載置面５を上にした姿勢で、枕本体２を床面Ｇの上に置き、頭部Ｈを頭部載置面５の上に載置した姿勢で横たわるようにする。霧島檜の樹脂成分に含まれる芳香成分がリラクゼーション効果、精神安定効果、アロマテラピー効果、癒しの効果を発揮し、リラックスした状態で休息、睡眠することができる。頭部載置面５の左右には頭部Ｈを左右から支持する支持斜面６，６が形成されているので、寝返り時に頭部Ｈが左右の端から床面Ｇ上に落下するのを防ぐことができる。
【００３０】
図６は、第２の使用形態を示すもので、肩部や首部、後頭部にこりがある場合には、図６に示すように、枕本体２の、波形に形成された前端面７を上にして、後端面８の支持面８ａを下にした安定姿勢で床面Ｇ上に立てた姿勢とする。そして、こりのある任意箇所、例えば図６に示すように、首部Ｋを枕本体２の上向きの前端面７にあてるようにして、頭を静かに下ろし、首部を前端面７に支持させる。
【００３１】
こりのある首部を、細幅の前端面７の第１谷部７ａ、山部７ｂ、第２谷部７ｃのいずれかの好みの箇所に軽くあてて支持させ、短時間（数十秒間あるいは数分間）の間、頭部の自重によって圧迫し、あるいは、左右の谷部７ａ、７ｃから山部７ｂにかけて移動させながら圧迫する。これにより、首部Ｋのこりやツボの部分を適度に指圧、刺激して、こりをほぐし、血行を促進することができる。
【００３２】
頭部は、後頭部だけでなく、頭を横向きにして、側頭部の、例えばこめかみ部分を、山部７ｂに軽くあてて支持させ、短時間の間、頭部の自重によって圧迫し、こめかみ部分を中心として頭部にマッサージ効果を加えるようにしてもよい。
【００３３】
霧島檜の成分によるリラクゼーション効果と、前端面７を波形に造形したことによる頭部から首部への指圧、刺激効果を同時に発揮させ、それらの組み合わせによる相乗効果を十分にもたらすことができ、現代人に多いストレスを和らげて、健康増進を大いに図ることができる。
【００３４】
枕本体２は、両手又は片手でもって、波形形状に造形された前端面７を、腰・肩・腕・足などに軽く当て、それら腰・肩・腕・足などを圧迫し、当該部位にマッサージ効果を与えることもできる。
【００３５】
図７は、第３の使用形態を示すもので、図７に示すように、枕本体２の頭部載置面５を下にし、足踏み部１１を上にした姿勢で、枕本体２を床面Ｇ上に設置し、足踏み部１２の上で足踏み運動をして足部Ｆの足裏を圧迫することができる。これにより、足部Ｆの足裏を指圧、刺激して、血行を促進することができる。
【００３６】
かくして、本考案の健康枕１によれば、枕本体２の中央部３の上面を凹ませて頭部載置面５を形成すると同時に、枕本体２の前端面７を波形に形成して頭部から首部にかけての指圧部を形成し、また、同時に、枕本体２の中央部３の裏面を利用して足踏み部１１を形成することができ、このように、一つの枕本体２の各面を利用して、多機能化された健康枕を提供することができる。
【産業上の利用可能性】
【００３７】
本考案の健康枕は、木の成分の本来持つリラクゼーション効果と、端面を特定の形状に造形することによる指圧、刺激効果を同時に発揮させ、それらの組み合わせによる相乗効果を十分にもたらすことのできる、健康促進効果に優れた、多機能型の健康枕として利用可能である。
【図面の簡単な説明】
【００３８】
【図１】本考案の健康枕を示す全体斜視図、
【図２】図１に示す健康枕の正面図、
【図３】図１に示す健康枕の裏面図、
【図４】図１に示す健康枕を、波形の端面を上にして床面上に設置した状態の斜視図、
【図５】図１に示す健康枕の第１の使用形態を示す正面図、
【図６】図１に示す健康枕の第２の使用形態を示す正面図、
【図７】図１に示す健康枕の第３の使用形態を示す側断面図である。
【符号の説明】
【００３９】
１  健康枕
２  枕本体
３  中央部
４  側部
５  頭部載置面
６  支持斜面
７  前端面
７ａ  第１谷部
７ｂ  山部
７ｃ  第２谷部
８  後端面
８ａ  支持面
９  中間部
１０  切欠き部
１１  足踏み部
Ｈ  頭部
Ｋ  首部
Ｆ  足部
Ｇ  床面
【図１】
0003143167.tif 000003
【図２】
0003143167.tif 000004
【図３】
0003143167.tif 000005
【図４】
0003143167.tif 000006
【図５】
0003143167.tif 000007
【図６】
0003143167.tif 000008
【図７】
0003143167.tif 000009